(57)【要約】      （修正有）【課題】車内かつ契約者がいる状態でのみ使用できる無線システムを提供する。【解決手段】無線システムは、車両に搭乗する搭乗者が所持する端末１００と、車両に搭載されており、端末１００と第１の接続方法によって接続されるキー装置１０２と、端末１００からの認証要求に基づいて、端末１００に認証の可否を返す認証サーバ１０３と、端末１００と第２の接続方法によって接続されているとともに、端末１００から認証サーバ１０３に通信回線を介した通信を行う無線ルータ１０５とを備える。無線ルータ１０５は、所定の時間内に認証サーバ１０３による認証がなされない場合に、通信回線への接続を切断するタイマーを有し、認証サーバ１０３により端末１００が認証された場合には、タイマーを解除し、通信回線が接続されている状態を継続する。【選択図】図１
2020195053.tif 000002
【特許請求の範囲】
【請求項１】
車両に搭乗する搭乗者が所持する端末と、
前記車両に搭載されており、前記端末と第１の接続方法によって接続されるキー装置と、
前記端末からの認証要求に基づいて、前記端末に認証の可否を返す認証サーバと、
前記端末と第２の接続方法によって接続されているとともに、前記端末から前記認証サーバに通信回線を介した通信を行う無線ルータと、を備え、
前記無線ルータは、所定の時間内に前記認証サーバによる認証がなされない場合に、前記通信回線への接続を切断するタイマーを有し、
前記認証サーバが前記端末を認証した場合には、前記タイマーを解除し、前記通信回線が接続されている状態を継続する、
無線システム。
【請求項２】
前記端末は、
前記認証サーバでの認証を求める際に、前記キー装置のＭＡＣアドレスと、前記無線ルータのＭＡＣアドレスと、前記端末に関連付けられたＩＤと、を用いて、前記認証サーバへの認証要求を行う、
請求項１に記載の無線システム。
【請求項３】
前記端末と前記キー装置とが接続される前記第１の接続方法は、Ｂｌｕｅｔｏｏｔｈ接続である、
請求項１又は２に記載の無線システム。
【請求項４】
前記無線ルータは、
ＷＡＮへの接続を行う無線ＷＡＮ通信部と、
ＬＡＮへの接続を行う無線ＬＡＮ通信部と、を有し、
前記端末と前記無線ルータとが接続される前記第２の接続方法は、無線ＬＡＮを介した接続であり、
前記端末は、前記無線ルータを用いて接続されたＷＡＮを介して、前記認証サーバに認証要求を行う、
請求項１乃至請求項３のいずれか１項に記載の無線システム。
【請求項５】
前記タイマーは、
前記端末と、前記キー装置との第１の接続方法による接続が切断された場合に、動作を開始し、
所定の時間内に前記認証サーバによる認証がなされない場合に、前記無線ルータによる通信の接続を切断する
請求項１乃至請求項４のいずれか１項に記載の無線システム。
【請求項６】
前記端末は、
前記キー装置との接続が切断され、かつ、前記無線ルータとの接続が切断される場合に、位置情報を取得して記憶するとともに、認証サーバでの認証に用いられている前記キー装置のＭＡＣアドレスと、前記無線ルータのＭＡＣアドレスと、を記憶し、
前記キー装置と接続され、かつ、前記無線ルータと接続された際に、接続後の前記キー装置のＭＡＣアドレスと、前記無線ルータのＭＡＣアドレスと、位置情報を取得し、
前記記憶された、前記キー装置のＭＡＣアドレスと、前記無線ルータのＭＡＣアドレスと、位置情報と、に対して、前記接続後の前記キー装置のＭＡＣアドレスと、前記無線ルータのＭＡＣアドレスと、位置情報と、をそれぞれ比較し、
比較結果に応じて、前記認証サーバへの認証要求を行わずに、前記タイマーを解除する
請求項１乃至請求項５のいずれか１項に記載の無線システム。
【請求項７】
前記タイマーは、
前記認証サーバによる認証がされず、所定の時間内に解除されない場合に、前記無線ルータによるＷＡＮとの接続を切断するＷＡＮ切断タイマーである、
請求項１乃至請求項６のいずれか１項に記載の無線システム。
【請求項８】
前記タイマーは、
前記認証サーバによる認証がされず、所定の時間内に解除されない場合に、前記無線ルータによるＬＡＮとの接続を切断するＬＡＮ切断タイマーである、
請求項１乃至請求項６のいずれか１項に記載の無線システム。
【請求項９】
車両への搭乗者が所持する端末に対して、第１の接続方法によってキー装置を接続し、
前記端末に対して、第２の接続方法によって無線ルータを接続し、
通信回線を介して前記端末から認証サーバに送られた認証要求に基づいて、前記認証サーバが前記端末に認証の可否を返し、
前記無線ルータは、タイマーにより設定した所定の時間内に、前記認証サーバによる認証がなされない場合には前記通信回線への接続を切断し、前記認証サーバで前記端末が認証された場合には、前記タイマーを解除して前記通信回線への接続を継続する
無線システムの制御方法。
【請求項１０】
第１の接続方法によってキー装置と接続し、
第２の接続方法によって無線ルータと接続する端末が、
実行する無線システムの制御プログラムにおいて、
前記端末が通信回線を介して認証サーバに認証要求を送信し、前記認証サーバから認証の可否を受信することで、
前記端末が前記認証サーバにより認証された場合には、
前記無線ルータが実行する、所定の時間内に解除されない場合に前記通信回線を切断するためのカウントを実行しているタイマーの動作を、解除する、
無線システムの制御プログラム。
【発明の詳細な説明】
【技術分野】
【０００１】
本発明は、無線ＷＡＮ（Wide Area Network）-無線ＬＡＮ(Local Area Network)ルータ装置(以下、無線ルータ装置)の無線ＷＡＮの起動を制御して、利用制限を行う発明に関する。特に、車両内のＵＳＢポートに接続して使用することを想定したＵＳＢ型無線ルータ装置を用い、使用条件を接続サービス契約者の持つスマートフォン等の端末が存在する状態で、かつ、契約者が所有する車両の車内において無線システムの利用を限定する方法に関する。
【背景技術】
【０００２】
無線ＷＡＮ（ＬＴＥ：Long Term EvolutionやＷｉＭＡＸなど)を利用してインターネットへ接続する為には、ほとんどの場合、通信事業者と契約を結んで通信料を支払う必要がある。また、昨今のコネクテッドカーの普及に伴い、車両の情報を無線ＷＡＮ回線と通して収集するという方法が広まりつつある。
【０００３】
この場合、自動車メーカーはユーザと契約してユーザの所有する車両から走行情報などを収集し、WAN回線の使用料は自動車メーカーが負担する場合がある。この時、WAN回線接続用のデバイスとして無線ルータ装置を使うことで、車両情報の収集だけでなく、車内での無線LANによるインターネット接続も可能となり、契約ユーザへのインターネット接続サービスを提供することもできる。
【先行技術文献】
【特許文献】
【０００４】
【特許文献１】特開２００４−２８０３１０号公報
【特許文献２】特開２０１４−１２３８４３号公報
【特許文献３】特開２０１７−２２５１８４号公報
【発明の概要】
【発明が解決しようとする課題】
【０００５】
しかしながら、自動車メーカーとしては利用範囲を契約者と契約者が登録した車両に限定させたいという考えがある。一方で無線ルータ装置のデバイス形態として、USBから給電するものが取り扱いやすいが、USBは汎用インターフェイスである為、他の車両やPCなどに接続することでインターネット回線が利用できてしまい、利用者や利用範囲を制限することが難しいという問題があった。
【０００６】
本開示の目的は、車内かつ契約者がいる状態でのみ使用できる無線システムを提供することである。
【課題を解決するための手段】
【０００７】
一実施の形態に係る無線システムは、車両に搭乗する搭乗者が所持する端末と、前記車両に搭載されており、前記端末と第１の接続方法によって接続されるキー装置と、前記端末からの認証要求に基づいて、前記端末に認証の可否を返す認証サーバと、前記端末と第２の接続方法によって接続されているとともに、前記端末から前記認証サーバに通信回線を介した通信を行う無線ルータと、を備え、前記無線ルータは、所定の時間内に前記認証サーバによる認証がなされない場合に、前記通信回線への接続を切断するタイマーを有し、前記端末からの認証要求に応じて前記認証サーバで認証された場合には、前記タイマーを解除し、前記通信回線が接続されている状態を継続する。
【０００８】
また、一実施の形態に係る無線システムの制御方法は、車両への搭乗者が所持する端末に対して、第１の接続方法によってキー装置を接続し、前記端末に対して、第２の接続方法によって無線ルータを接続し、通信回線を介して前記端末から認証サーバに送られた認証要求に基づいて、前記認証サーバが前記端末に認証の可否を返し、前記無線ルータは、タイマーにより設定した所定の時間内に、前記認証サーバによる認証がなされない場合には前記通信回線への接続を切断し、前記認証サーバで前記端末が認証された場合には、前記タイマーを解除して前記通信回線への接続を継続する。
【０００９】
また、一実施の形態に係る無線システムの制御プログラムは、第１の接続方法によってキー装置と接続し、第２の接続方法によって無線ルータと接続する端末が、実行する無線システムの制御プログラムにおいて、前記端末が通信回線を介して認証サーバに認証要求を送信し、前記認証サーバから認証の可否を受信することで、前記端末が前記認証サーバにより認証された場合には、前記無線ルータが実行する、所定の時間内に解除されない場合に前記通信回線を切断するためのカウントを実行しているタイマーの動作を、解除する。
【発明の効果】
【００１０】
一実施の形態によれば、車内かつ契約者がいる状態でのみ使用できる無線システムを提供することができる。
【図面の簡単な説明】
【００１１】
【図１】実施の形態１にかかる無線システムの概要図である。
【図２】実施の形態１にかかる車両内の構成を示す図である。
【図３】実施の形態１にかかる認証が成功する場合のシーケンス図である。
【図４】実施の形態１にかかる認証が失敗する場合のシーケンス図である。
【図５】実施の形態１にかかる無線ルータの動作のフローチャートである。
【図６】実施の形態３にかかるシーケンス図である。
【図７】実施の形態４にかかるシーケンス図である。
【発明を実施するための形態】
【００１２】
実施の形態１
図１は、本発明の概要と無線システムの構成を示す図である。図２は、端末を所持する人が搭乗する車両内に配置されている無線システムの構成の一例を示す図である。以下では、図１及び図２を用いて本発明装置の構成を説明する。
【００１３】
図１に示すように、無線システムは、コネクトアプリ１０１がインストールされたスマートフォン等の端末１００と、Ｄｉｓｐｌａｙ  Ａｕｄｉｏ（ＤＡ）などを利用したキー装置１０２と、認証サーバ１０３と、無線ルータ１０５と、を備える。なお、以下では、通信回線とは、ＷＡＮ及びＬＡＮの少なくとも一方を含むものとして説明する。また、端末１００は、以下ではスマートフォン１００として説明する。
【００１４】
スマートフォン１００は、車両に搭乗する人が所有する端末である。スマートフォン１００にインストールされたコネクトアプリ１０１の機能により、Ｂｌｕｅｔｏｏｔｈ接続（第１の接続方法）を用いてキー装置１０２と接続可能である。またスマートフォン１００は、コネクトアプリ１０１により、無線ＬＡＮ（第２の接続方法）を介して無線ルータ１０５と接続可能である。またコネクトアプリ１０１では、スマートフォン１００に関連付けられたＩＤを記憶している。なおこのＩＤは、例えば、スマートフォン１００の所有者固有の契約者ＩＤである。さらに、スマートフォン１００は、コネクトアプリ１０１を介して、外部に設置されている認証サーバ１０３に対して認証の問い合わせや、認証結果の受信を実行できる。
【００１５】
キー装置１０２は、車両に搭載されており、ＭＡＣアドレスを有する機器である。キー装置１０２には、後に詳述するＤｉｓｐｌａｙ  Ａｕｄｉｏ（ＤＡ）２００（図２参照）やカーナビを用いることができる。なお以下では、キー装置１０２から無線ルータ１０５に対して給電を行うとともに、キー装置１０２としてＤＡを用いることとして説明する。
【００１６】
認証サーバ１０３には、スマートフォン１００の契約者ＩＤ、車両に用いられている無線ルータの１０４のＭＡＣアドレス、及び、キー装置１０２として用いられているＤＡのＭＡＣアドレスの組み合わせを、あらかじめ記憶しているサーバである。例えば、認証サーバ１０３は、スマートフォン１００とＷＡＮを介してデータの送受信を行い、認証の動作を実行する。より具体的には、スマートフォン１００は認証サーバ１０３に対して認証の要求を行い、認証サーバ１０３は認証の可否をスマートフォン１００に返すことができる。
【００１７】
無線ルータ１０５は、無線ＬＡＮを介してスマートフォン１００に接続されており、スマートフォン１００の認証サーバ１０３からの認証状態に基づいて、ＷＡＮ接続等の状態を変更する。なお無線ルータ１０５は、スマートフォン１００に対して認証サーバ１０３で認証を受けるように信号を出力する。さらに、無線ルータ１０５では、認証待ち状態を所定の時間だけ継続し、所定時間経過後に自動的に通信回線との接続を切断するタイマーを有している。ここで、無線ルータ１０５は、図２における無線ＷＡＮルータ２１０と同一であり、無線ルータ１０５の構成については後に詳述する。
【００１８】
ここで図２に示すように、車両には、車両を限定するキー装置となるＤｉｓｐｌａｙ  Ａｕｄｉｏ（ＤＡ）２００と無線、ＷＡＮ機能を有する無線ＷＡＮルータ２１０と、車のイグニッションとの連動部２２０、とが配置されている。
【００１９】
ＤＡ２００は、例えば約７インチの液晶ディスプレイを有し、スマートフォン等との接続機能を有するとともに、スマートフォン側に備えられたソフトウェアを用いて、情報表示などの各種の機能を実行することができる。後述するように、ＤＡ２００では、スマートフォンにインストールされたアプリケーション（コネクトアプリ）を用いて、ＷＡＮ接続を制御する。
【００２０】
ＤＡ２００は、イグニッションと連動する電源部２０１と、外部給電可能なＵＳＢ電源２０４と、Ｄｉｓｐｌａｙ  Ａｕｄｉｏ機能部（ＤＡ機能部）２０２と、Ｂｌｕｅｔｏｏｔｈ部２０３、とにより構成される。
【００２１】
電源部２０１は、車のエンジン始動や電気系統の制御するスイッチであるイグニッションと連動する。例えば、車に搭乗した搭乗者による操作に基づいて、ＤＡ２００の電源をＯＮ状態にする。
【００２２】
ＵＳＢ電源２０４は、ＤＡ２００に接続されたスマートフォン等の機器に対して電力の供給を行う。例えば、ＵＳＢ電源２０４は、無線ＷＡＮルータ２１０に対して電力を供給する。
【００２３】
ＤＡ機能部２０２は、例えば、ラジオ、音楽ＣＤの再生だけでなく、携帯音楽プレーヤとの接続等の機能を有する。なお、ＤＡ機能部２０２が有する機能は、これらに限られない。
【００２４】
Ｂｌｕｅｔｏｏｔｈ部２０３は、スマートフォン１００（図１参照）に対してＢｌｕｅｔｏｏｔｈ（登録商標）を用いて接続する機能を有する。典型的には、Ｂｌｕｅｔｏｏｔｈ部２０３による接続方法（第１の接続方法）は、近距離無線通信に分類され、Ｗｉｆｉ通信等に比べて電波が弱いという特徴があり、車両から離れた場合に通信できない状態とすることができる。すなわち、Ｂｌｕｅｔｏｏｔｈ部２０３による通信を車両内に限定することができる。
【００２５】
無線ＷＡＮルータ２１０は、ＤＡ２００のＵＳＢ電源２０４から電源供給を受ける電源部２１４と、無線ＬＡＮ通信部２１２と、ＷｉＭＡＸ，ＬＴＥなどの無線ＷＡＮ通信部２１３と、無線ＬＡＮ通信部２１２の動作制御や、無線ＷＡＮ通信部２１３の動作制御、タイマー制御が可能なＣＰＵ＋メモリ部２１１と、により構成される。例えばこの無線ＷＡＮルータ２１０は、図１における無線ルータ１０５と同一である。
【００２６】
例えば、無線ＷＡＮルータ２１０は、無線ＬＡＮ子機機能を備えた端末との間を、電波を用いて通信することにより、端末からＷＡＮに接続することを可能とする。
【００２７】
より具体的には、無線ＬＡＮ通信部２１２は、限られた範囲内にある機器について無線電波を用いて接続し、相互にデータ通信をするための通信機能を有する。すなわち、無線ＬＡＮ通信部２１２は、ＬＡＮネットワークへの接続を制御する。なお、ここで限られた範囲にある機器とは、例えば車両内に存在する機器である。
【００２８】
無線ＷＡＮ通信部２１３は、遠隔地と繋がるネットワークに対して無線電波で接続し、相互にデータ通信をするための通信機能を有する。すなわち、無線ＷＡＮ通信部２１３は、インターネット等のＷＡＮに接続するための機能を有する。
【００２９】
ＣＰＵ＋メモリ部２１１は、無線ＬＡＮ通信部２１２と無線ＷＡＮ通信部２１３の動作制御を行うとともに、ＷＡＮ切断タイマーとしての機能を有する。無線ＷＡＮルータ２１０では、後述するように、所定の時間内にＷＡＮ切断タイマーを解除するための信号が入力されなかった場合に、ＷＡＮへ接続を切断する。
【００３０】
ここで、図３に示したシーケンス図を用いて実施例の動作を説明する。図３では、スマートフォンから認証サーバへの認証要求を行った際に認証が成功し、ＷＡＮ接続が維持されるパターンについて説明する。なお以下では、無線ＬＡＮをＷＬＡＮ（Wireless LAN）として説明する。
【００３１】
なお図３におけるＤｉｓｐｌａｙ  Ａｕｄｉｏ３０１は図２におけるＤＡ２００に対応する。図３におけるスマートフォンコネクトアプリ（コネクトアプリ）３０２は、図１のコネクトアプリ１０１に対応する。図３における無線ルータ３０３は、図１の無線ルータ１０５及び図２の無線ＷＡＮルータ２１０に対応する。図３の認証サーバ３０４は、図１の認証サーバ１０３に対応する。
【００３２】
まずユーザ操作３００により車両のイグニッションをＯＮ（３１０）すると、Ｄｉｓｐｌａｙ  Ａｕｄｉｏ（ＤＡ）３０１に電力が供給される。さらにＤＡ３０１から、ＵＳＢ電源を介して無線ルータ３０３に電力が供給される。すなわちユーザの操作によって、ＤＡ３０１と、無線ルータ３０３のそれぞれが起動を開始する（３１１）。
【００３３】
スマートフォンにインストールされたコネクトアプリ３０２が起動された状態になる（３１２）。ここで、コネクトアプリ３０２はスマートフォンの契約者固有のＩＤ情報を保有している。
【００３４】
コネクトアプリ３０２の起動（３１２）後、コネクトアプリ３０２はＢｌｕｅｔｏｏｔｈ接続をＤＡ３０１に要求して接続を確立する。このＢｌｕｅｔｏｏｔｈ接続を確立後、コネクトアプリ３０２は、ＤＡ３０１のＢｌｕｅｔｏｏｔｈのＭＡＣアドレスを取得する。
【００３５】
続いて、ＷＬＡＮの接続を無線ルータ３０３に要求し、ＷＬＡＮ接続を確立する。ＷＬＡＮ接続を確立後、コネクトアプリ３０２は、無線ルータ３０３のＭＡＣアドレスを取得する。
【００３６】
また無線ルータ３０３は、電源起動後（３１３）、ＷＬＡＮとＷＡＮを起動して、一台目の無線ＬＡＮ子機との接続を確立するとともに、ＷＡＮ切断タイマーをセットする。ここで、一台目の無線ＬＡＮ子機とは、スマートフォンであるものとして説明する。
【００３７】
コネクトアプリ３０２は、ＤＡ３０１とのＢｌｕｅｔｏｏｔｈ接続、及び、無線ルータ３０３との接続完了後、契約者のＩＤ、ＤＡ３０１のＭＡＣアドレス、無線ルータ３０３のＭＡＣアドレスを、認証サーバ３０４に問い合わせる（３１４）。
【００３８】
なお、このコネクトアプリ３０２からの認証サーバ３０４への問い合わせにかかるデータの送受信は、スマートフォンからの直接のパケット通信によってではなく、無線ルータ３０３を用いたＷＡＮを介する接続により実行可能である。
【００３９】
認証サーバ３０４は、登録されている情報とコネクトアプリ３０２から伝送された情報の一致を確認し、一致した場合は認証成功としてコネクトアプリ３０２に通知する。
【００４０】
認証サーバ３０４での認証成功の通知を受けたコネクトアプリ３０２は、無線ルータ３０３に対して、ＷＡＮ切断タイマーで行っているカウントの解除を行う信号を出力する。これにより、無線ルータ３０３では、ＷＡＮ切断タイマーの解除を行い、そのまま無線ルータ３０３が使用可能となり、ＷＡＮに接続している状態が継続される。
【００４１】
次に、図４を用いて、スマートフォンから認証サーバへの認証要求を行った際に認証が失敗して、ＷＡＮ接続が切断されるパターンについて説明する。
【００４２】
ここで、図４に示したユーザ操作４００、Ｄｉｓｐｌａｙ  Ａｕｄｉｏ（ＤＡ）４０１、スマートフォンコネクトアプリ４０２、無線ルータ４０３、認証サーバ４０４は、図３のユーザ操作３００、Ｄｉｓｐｌａｙ  Ａｕｄｉｏ３０１、スマートフォンコネクトアプリ３０２、無線ルータ３０３、認証サーバ３０４に対応する。
【００４３】
また図４において、利用可否問い合わせ（４１０）までの動作は、図３と同様である。
【００４４】
すなわち、無線ルータ４０３は、電源起動後、ＷＬＡＮとＷＡＮを起動して、一台目の無線ＬＡＮ子機との接続を確立するとともに、ＷＡＮ切断タイマーをセットする。
【００４５】
コネクトアプリ４０２は、ＤＡ４０１とのＢｌｕｅｔｏｏｔｈ接続、及び、無線ルータ４０３との接続完了後、契約者のＩＤ、ＤＡ４０１のＭＡＣアドレス、無線ルータ４０３のＭＡＣアドレスを、認証サーバ４０４に問い合わせる。
【００４６】
認証サーバ４０４は、コネクトアプリ４０２から送られた情報が、認証サーバ４０４に記憶されている登録情報と不一致であると判定した場合、認証失敗としてコネクトアプリ４０２に通知する。
【００４７】
コネクトアプリ４０２では、ユーザに対して認証ができなかった旨のエラーを通知する。
【００４８】
無線ルータ４０３はＷＡＮ切断タイマーが満了となった後に、ＷＡＮ接続を切断する。これにより、無線ルータ４０３を介したＷＡＮの利用が不可となる。
【００４９】
ここで、図５は無線ルータの動作のフローを示す図である。無線ルータでは、起動とともにＷＡＮ接続を行い（５００）、ＷＡＮ接続を切断するＷＡＮ切断タイマーをセットしておく（５０１）。その後、ＷＡＮ切断タイマーが解除されたか否かの判定を行い、ＷＡＮ切断タイマーが解除された場合には（５０２でＹｅｓ）、ＷＡＮ接続を継続する（５０５）。ＷＡＮ切断タイマーが解除されない場合には（５０２でＮｏ）、現在の経過時間ｔがあらかじめ定めた所定の時間Ｔ内であるか否か判定し、経過時間ｔが所定時間Ｔ内であれば（５０３でＹｅｓ）、ＷＡＮ切断タイマーが解除されたか否かの判定を繰り返す。経過時間ｔが所定の時間Ｔを越えていた場合には（５０３でＮｏ）、ＷＡＮ接続を切断する（５０４）。
【００５０】
このようにして、認証サーバでの認証に基づいて、無線ルータの使用を制限することが出来る。このとき、ＷＡＮを利用するための認証キーの１つとなるキー装置として車両に固定されているＤＡやカーナビを用いることで、無線通信利用制限の範囲を、これらのキー装置を備える車両に限定することができる。
【００５１】
さらに、スマートフォンにインストールされたアプリケーションを利用条件とすることで、利用者を限定できる。したがって、車内かつ契約者がいる状態でのみ使用できる無線システムを提供することができる。
【００５２】
さらに、端末から認証サーバへの認証要求は、無線ルータを介して実行できる。これにより、スマートフォンから認証サーバに対してパケット通信を行う場合に発生しうる通信速度の低下や、通信制限がある場合の影響を回避できる。
【００５３】
さらに、無線ルータの起動完了後に、すぐに無線通信が使用可能の状態になること、及び、無線通信の利用制限を同時に実現できる。
【００５４】
実施の形態２
実施の形態１では、無線ルータ１０５はＷＡＮを切断するためのＷＡＮ切断タイマーを有しているものとして説明したが、ＷＡＮ切断タイマーに代えて、ＬＡＮを切断するＬＡＮ切断タイマーとしても良い。
【００５５】
これにより、認証サーバ１０３によって認証を受けられなかった機器は、無線ルータ１０５を介したＷＡＮだけでなく、利用者が搭乗している車両内に構築されているＬＡＮの利用ができないように制限される。
【００５６】
実施の形態３
実施の形態１に示した装置構成に対して、コネクトアプリ１０１とキー装置１０２として用いているＤＡとのＢｌｕｅｔｏｏｔｈ接続が切断された場合に、ＷＡＮ切断タイマーを再セットする仕組みを追加することができる。
【００５７】
ここで、図６に示すユーザ操作６００、Ｄｉｓｐｌａｙ  Ａｕｄｉｏ（ＤＡ）６０１、スマートフォンコネクトアプリ６０２、無線ルータ６０３、認証サーバ６０４は、図３のユーザ操作３００、Ｄｉｓｐｌａｙ  Ａｕｄｉｏ３０１、スマートフォンコネクトアプリ３０２、無線ルータ３０３、認証サーバ３０４に対応する。
【００５８】
図６に示すように、Ｂｌｕｅｔｏｏｔｈが切断される（６１０）と、コネクトアプリ６０２は無線ルータ６０３に対してＷＡＮ切断タイマーの開始を要求する。無線ルータ６０３は、ＷＡＮ切断タイマー開始の要求に基づいて、ＷＡＮ切断タイマーのセットを実行する。
【００５９】
その後、ＤＡ６０１と、コネクトアプリ６０２がＢｌｕｅｔｏｏｔｈで再接続された場合には、再び認証サーバ６０４へ問い合わせを実行し、利用可の場合はＷＡＮ切断タイマーを解除する。
【００６０】
これにより、スマートフォンを持ってＤＡから離れる、つまり車外に出るなどした場合は、無線ルータの利用を停止することができる。
【００６１】
実施の形態４
実施の形態１に示した装置構成に対して、さらに車両の乗り降りの際に再認証不要で、無線通信を利用できる仕組みを追加する構成について説明する。
【００６２】
ここで、図７に示すユーザ操作７００、Ｄｉｓｐｌａｙ  Ａｕｄｉｏ（ＤＡ）７０１、スマートフォンコネクトアプリ７０２、無線ルータ７０３、認証サーバ７０４は、図３のユーザ操作３００、Ｄｉｓｐｌａｙ  Ａｕｄｉｏ３０１、スマートフォンコネクトアプリ３０２、無線ルータ３０３、認証サーバ３０４に対応する。
【００６３】
図７において、イグニッションをＯＦＦ（７１０）すると、ＤＡ７０１および無線ルータ７０３は電源がＯＦＦされた状態となり、Ｂｌｕｅｔｏｏｔｈ、無線ＬＡＮがそれぞれ切断される。
【００６４】
ここで、ＤＡ７０１とのＢｌｕｅｔｏｏｔｈ接続、及び無線ルータ７０３との無線ＬＡＮの両方の接続が切断されたときに、コネクトアプリ７０２は、エンジンが切られたと判断してＤＡ７０１のＭＡＣアドレスと、無線ルータ７０３のＭＡＣアドレスと、現在の位置情報を取得する。位置情報の取得には一般的にスマートフォンが有している機能を使用する。例えば位置情報の取得には、ＧＰＳ（Global Positioning System）を利用できる。なお、ここでは、接続が切断される前の状態において、ＤＡ７０１のＭＡＣアドレスと、無線ルータ７０３のＭＡＣアドレスと、を用いて、認証サーバ７０４で認証が行われていたものとする。
【００６５】
その後、再びイグニッションがＯＮ（７１１）された場合、ＤＡ７０１のＭＡＣアドレス及び無線ルータ７０３のＭＡＣアドレスの取得までは実施の形態１と同様のシーケンスである。
【００６６】
コネクトアプリ７０２は、ＭＡＣアドレス取得後、現在の位置情報を取得する。そして、Ｂｌｕｅｔｏｏｔｈ、無線ＬＡＮの両者が切断されたときにコネクトアプリ７０２に記録された、ＭＡＣアドレス及び位置情報を照合し、比較する（７１２）。
【００６７】
これらのＤＡ７０１のＭＡＣアドレス、無線ルータ７０３のＭＡＣアドレス、位置情報がそれぞれ一致した場合には、コネクトアプリ７０２は、認証済みの装置構成に変化がなく、人が車両に対して乗降のみを行ったものと判断する。したがって、コネクトアプリ７０２では、認証サーバ７０４への問い合わせを行わずに、無線ルータ７０３に対してＷＡＮ切断タイマーを解除する信号を出力する。
【００６８】
これにより、車両への乗降のみである場合には、位置情報を利用することによって、認証サーバへの問い合わせを行わずに、無線通信が継続利用可能となる。
【００６９】
一方、これらのＤＡ７０１のＭＡＣアドレス、無線ルータ７０３のＭＡＣアドレス、及び位置情報が、接続の切断前と切断後で一致しない場合には、実施の形態１と同様に、認証サーバ７０４に問い合わせを行うシーケンスを実行できる。
【００７０】
以上、実施の形態を参照して本願発明を説明したが、本願発明は上記によって限定されるものではない。本願発明の構成や詳細には、発明のスコープ内で当業者が理解し得る様々な変更をすることができる。
【００７１】
例えば、コネクトアプリがインストールされている端末はスマートフォンであるものとして説明したが、端末の使用者のＩＤの取得し、ＤＡのＭＡＣアドレスを記憶し、無線ルータのＭＡＣアドレスを記憶可能であるとともに、少なくとも無線ルータを介した通信が可能である端末であればよく、スマートフォンに限られない。
【００７２】
上述の実施の形態では、本発明をハードウェアの構成として説明したが、本発明は、これに限定されるものではない。本発明に用いたタイマー以外の任意の処理についても、ＣＰＵ（Ｃｅｎｔｒａｌ  Ｐｒｏｃｅｓｓｉｎｇ  Ｕｎｉｔ）にコンピュータプログラムを実行させることにより実現することも可能である。また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００７３】
１００            端末（スマートフォン）
１０１            コネクトアプリ
１０２            キー装置
１０３            認証サーバ
１０５            無線ルータ
２００            Ｄｉｓｐｌａｙ  Ａｕｄｉｏ（ＤＡ）
２０１            電源部
２０２            Ｄｉｓｐｌａｙ  Ａｕｄｉｏ機能部（ＤＡ機能部）
２０３            Ｂｌｕｅｔｏｏｔｈ部
２０４            ＵＳＢ電源
２１０            無線ＷＡＮルータ
２１１            メモリ部
２１２            無線ＬＡＮ通信部
２１３            無線ＷＡＮ通信部
２１４            電源部
２２０            連動部
３００            ユーザ操作
３０１            Ｄｉｓｐｌａｙ  Ａｕｄｉｏ（ＤＡ）
３０２            コネクトアプリ
３０３            無線ルータ
３０４            認証サーバ
４００            ユーザ操作
４０１            Ｄｉｓｐｌａｙ  Ａｕｄｉｏ（ＤＡ）
４０２            コネクトアプリ
４０３            無線ルータ
４０４            認証サーバ
６００            ユーザ操作
６０１            Ｄｉｓｐｌａｙ  Ａｕｄｉｏ（ＤＡ）
６０２            コネクトアプリ
６０３            無線ルータ
６０４            認証サーバ
７０１            Ｄｉｓｐｌａｙ  Ａｕｄｉｏ（ＤＡ）
７００            ユーザ操作
７０２            コネクトアプリ
７０３            無線ルータ
７０４            認証サーバ
【図１】
2020195053.tif 000003
【図２】
2020195053.tif 000004
【図３】
2020195053.tif 000005
【図４】
2020195053.tif 000006
【図５】
2020195053.tif 000007
【図６】
2020195053.tif 000008
【図７】
2020195053.tif 000009
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
車両に搭乗する搭乗者が所持する端末と、
前記車両に搭載されており、前記端末と第１の接続方法によって通信接続が確立されるキー装置と、
前記端末からの認証要求に基づいて、前記端末に認証の可否を返す認証サーバと、
前記端末と第２の接続方法によって通信接続が確立されているとともに、前記端末から前記認証サーバに通信回線を介した通信接続の確立を行う無線ルータと、を備え、
前記端末は、前記認証サーバでの認証を求める際に、前記キー装置の識別情報と、前記無線ルータの識別情報と、前記端末の識別情報を用いて、前記認証サーバへの認証要求を行い、
前記無線ルータは、前記端末と、前記キー装置との間で第１の接続方法により確立された通信接続が切断された後に、所定の時間内に前記認証サーバによる認証がなされない場合には、前記無線ルータにより確立された通信接続を切断し、
前記認証サーバが前記端末を認証した場合には、前記無線ルータにより前記通信回線との通信接続が確立されている状態を継続する、
無線システム。
【請求項２】
前記端末と前記キー装置との通信接続を確立する前記第１の接続方法は、Ｂｌｕｅｔｏｏｔｈ接続である、
請求項１に記載の無線システム。
【請求項３】
前記無線ルータは、
ＷＡＮへの通信接続を行う無線ＷＡＮ通信部と、
ＬＡＮへの通信接続を行う無線ＬＡＮ通信部と、を有し、
前記端末と前記無線ルータとの通信接続を確立する前記第２の接続方法は、無線ＬＡＮを介した通信接続であり、
前記端末は、前記無線ルータを用いて通信接続が確立されたＷＡＮを介して、前記認証サーバに認証要求を行う、
請求項１又は請求項２に記載の無線システム。
【請求項４】
前記無線ルータは、前記端末と、前記キー装置との間で第１の接続方法により確立された通信接続が切断された後に、所定の時間内に前記認証サーバによる認証がなされない場合には、前記無線ルータにより確立された通信接続を切断することに代えて、
前記第２の接続方法による通信接続の確立の後に、所定の時間内に前記認証サーバによる認証がなされない場合には、前記無線ルータにより確立された通信接続を切断する、
請求項１乃至請求項３のいずれか１項に記載の無線システム。
【請求項５】
前記端末は、
前記キー装置と確立した通信接続が切断され、かつ、前記無線ルータと確立した通信接続が切断される場合に、位置情報を取得して記憶するとともに、認証サーバでの認証に用いられている前記キー装置の識別情報であるＭＡＣアドレスと、前記無線ルータの識別情報であるＭＡＣアドレスと、を記憶し、
前記キー装置との通信接続が確立され、かつ、前記無線ルータとの通信接続が確立された際に、通信接続の確立後の前記キー装置のＭＡＣアドレスと、前記無線ルータのＭＡＣアドレスと、位置情報を取得し、
前記記憶された、前記キー装置のＭＡＣアドレスと、前記無線ルータのＭＡＣアドレスと、位置情報と、に対して、前記通信接続の確立後の前記キー装置のＭＡＣアドレスと、前記無線ルータのＭＡＣアドレスと、位置情報と、をそれぞれ比較し、
比較結果が一致する場合には、前記認証サーバへの認証要求を行わずに、前記通信回線との通信接続が確立されている状態を継続する
請求項１乃至請求項４のいずれか１項に記載の無線システム。
【請求項６】
前記認証サーバによる認証がされず、所定の時間内に解除されない場合に、前記無線ルータによるＷＡＮとの間で確立された通信接続を切断するＷＡＮ切断タイマーを有する、
請求項１乃至請求項５のいずれか１項に記載の無線システム。
【請求項７】
前記認証サーバによる認証がされず、所定の時間内に解除されない場合に、前記無線ルータによるＬＡＮとの間で確立された通信接続を切断するＬＡＮ切断タイマーを有する、
請求項１乃至請求項６のいずれか１項に記載の無線システム。
【請求項８】
請求項１乃至請求項７のいずれか１項に記載の無線システムの制御方法であって、
車両への搭乗者が所持する端末が、第１の接続方法によってキー装置と通信接続を確立し、
前記端末が、第２の接続方法によって無線ルータと通信接続を確立し、
前記端末は、前記認証サーバでの認証を求める際に、前記キー装置の識別情報と、前記無線ルータの識別情報と、前記端末の識別情報を用いて、前記認証サーバへの認証要求を行い、
通信回線を介して前記端末から認証サーバに送られた認証要求に基づいて、前記認証サーバが前記端末に認証の可否を返し、
前記無線ルータは、前記端末と、前記キー装置との間で第１の接続方法により確立された通信接続が切断された後に、所定の時間内に、前記認証サーバによる認証がなされない場合には前記通信回線との確立された通信接続を切断し、
前記認証サーバが前記端末を認証した場合には、前記通信回線との確立された通信接続を継続する
無線システムの制御方法。
【請求項９】
請求項１乃至請求項７のいずれか１項に記載の無線システムの制御プログラムであって、
車両への搭乗者が所持する端末が、第１の接続方法によってキー装置と通信接続を確立し、
前記端末が、第２の接続方法によって無線ルータと通信接続を確立し、
前記端末は、前記無線ルータにより通信接続が確立されている通信回線を介して、前記認証サーバでの認証を求める際に、前記キー装置の識別情報と、前記無線ルータの識別情報と、前記端末の識別情報を用いて、前記認証サーバへの認証要求を行い、
前記端末と、前記キー装置との間で第１の接続方法により確立された通信接続が切断された後に、前記端末が所定の時間内に前記認証サーバにより認証されない場合には、前記端末は、前記無線ルータに前記通信回線との確立された通信接続を切断する信号を出力し、
前記端末が前記認証サーバにより認証された場合には、前記端末は、前記無線ルータに、前記通信回線との確立された通信接続を継続させる信号を出力する
無線システムの制御プログラム。